(57)【要約】      （修正有）【課題】家具を長期間使用して、家具の側壁が引出の側板から離れていっても、ストライクが常にランナーと係合可能にする。【解決手段】下部を取付部６１、上部を係合部６２としたストライクにおいて、取付部６１の正面の左右対称位置に矩形のバネ孔６３，６４とビス孔６７，６７を穿設する。バネ孔６３，６４の上部から下方に向け、取付部６１の裏面から少し突出ように後方に湾曲した形状の押圧バネ６５，６６を一体に形成する。このストライクを引出が閉まった状態で、ランナーに係合するように、側板にネジで取り付ける。押圧バネ６５，６６のバネ力によりストライク全体、即ちストライク６０の係合部が側板から離れるように付勢されるので、側板が外側に変形しても、ストライク６０とランナーの係合がはずれることはない。【選択図】図１
2011024981.tif 000002
【特許請求の範囲】
【請求項１】
引き込み装置と引き込み装置を作動させるストライクから構成されていて、引き込み装置のランナーは常時引っ張りバネで奥方に引かれた状態となっており、引出を開けるときにはストライクが引き込み装置のランナーに形成された第一係止片に係合してランナーを待機位置まで移動させ、引出を閉めるときにはストライクが第一係止片に係合して、引っ張りバネで引き戻されることによりランナーを非待機位置にする引出の引き込み機構において、ストライクの係合部はストライクを取り付ける部分に対して直交する方向に移動可能となっていることを特徴とする引出の引き込み機構。
【請求項２】
引き込み装置と引き込み装置を作動させるストライクから構成されていて、引き込み装置のランナーは常時引っ張りバネで奥方に引かれた状態となっており、引出を開けるときにはストライクが引き込み装置のランナーに形成された第一係止片に係合してランナーを待機位置まで移動させ、引出を閉めるときにはストライクが第一係止片に係合して、引っ張りバネで引き戻されることによりランナーを非待機位置にする引出の引き込み機構において、ストライクの係合部はストライクを取り付ける部分に対して直交する方向に移動可能となっているとともに、ストライクが上下方向に移動可能となっていることを特徴とする引出の引き込み機構。
【請求項３】
ストライクには、ストライクを取り付ける部分に対して反発するバネがストライクと一体形成されていることを特徴とする請求項１、２に記載の引出の引き込み機構。
【請求項４】
ストライクの係合体は、取付体に取り付けられており、該取付体にバネ用溝が刻設されていて、該バネ用溝内には取付体に対して反発するバネが載置されていることを特徴とする請求項１、２に記載の引出の引き込み装置。
【発明の詳細な説明】
【技術分野】
【０００１】  本発明は、引出の付いた家具において、引出を閉めたときに、引出が奥方に勢いよく衝突するのを防ぐとともに、引出を完全に奥方に引き戻すことができる引き込み機構に関する。
【背景技術】
【０００２】  近時の家具は、引出の出し入れが円滑に行われるように、摺動する部分には家具用レールが取り付けられている。家具用レールとは、金属製のガイドレール内に金属製のスライドレールが収納されており、ガイドレールとスライドレール間には多数のボールベアリングを配置したリテーナが設置されたものである。従って、近時の家具は、引出の滑りが非常に良好となっているため、引出を勢いよく押し込むと引出が家具の奥部に強く当たり、その反動で引出が少し開いてしまったり、奥部を破損したり、さらには引出の中に整頓して置かれていたものが崩れたりすることがあった。【０００３】  このような問題に鑑み、従来より引出を閉めたときに、引出の勢いを緩めて奥部に強く当たるのを防ぐという引き込み機構が提案されている。（特許文献１、２）
【先行技術文献】
【特許文献】
【０００４】
【特許文献１】特開２００８−２６４４３８号公報
【特許文献２】特開２００９−３９４９０号公報
【０００５】  ここで引き込み機構について説明する。図２３は引き込み機構を設置した家具の透視斜視図、図２４は引き込み機構に使用する引き込み装置の正面図、図２５は同正面断面図、図２６は引き込み装置のランナーの拡大正面図、図２７は同底面図、図２８は従来の引き込み機構に使用されていたストライクの斜視図、図２９は引出が閉まったときのランナーとストライクの正常な係合状態を説明する図、図３０は家具の側壁が外方に膨らんでランナーとストライクが離れた状態を説明する図、図３１は家具の側壁が外方に膨らんだ状態を説明する図である。【０００６】  図２３に示すように、家具本体１０は前方が入口となった箱状であり、天部１１、底部１２、奥部１３、側壁１４、１４から構成されている。【０００７】  引出２０は、無蓋の箱状であり、前述家具本体１０の挿入口からに容易に挿入できるようになっている。引出２０は、前板２１、奥板２２、底板２３、側板２４、２４から構成されている。引出２０の側板２４、２４には家具用レールのスライドレール２５が取り付けられている。【０００８】  家具本体１０の側壁１４、１４の内側には家具用レールのガイドレール１５、１５が取り付けられている。このガイドレールは、前述引出２０のスライドレール２５を摺動自在に出し入れさせることができるものである。ガイドレールとスライドレール間には、スライドレールの摺動性を良好にするため、多数のボールベアリングを有する図示しないリテーナが配置されている。【０００９】  また家具本体１０の側壁内側には、引き込み装置３０が取り付けられている。引き込み装置とは、引出を勢いよく閉めたときに、引出の勢いを緩衝させて引出が家具本体の奥部に強く当たるのを防ぐとともに、引出を完全に閉めず途中で止めても、引出を完全に奥方まで引き戻すことができるというものである。【００１０】  引き込み装置を図２４、２５で簡単に説明する。引き込み装置３０はケース３１、ランナー３２、引っ張りバネ３３、ダンパー３４から構成されている。ケース３１には両面にガイド溝３５が長手方向水平に形成されており、先端部が斜め上方に屈曲した屈曲部３６となっている。ランナー３２は図２６、２７に示すように、第一ガイドピン３７と第二ガイドピン３８が横方に突出しており、これらのガイドピンがガイド溝３５内を移動するようになっている。そしてランナー３２には第一係止片３９、第二係止片４０が下方に突出して形成されている。【００１１】    引っ張りバネ３３は、一端がランナー３２に係合され、他端がケース３１の端部に係合されており、常時、ランナー３２を奥方（図２４、２５中左方）に引っ張っている状態となっている。ダンパー３４は、シリンダー４１内にピストン４２が移動自在に配置されている。該ピストンにはロッド４３が固定されており、さらにロッド４３の先端は前述ランナー３２に回動自在に係合されている。ダンパー３４は、シリンダー４１内でピストン４２が移動するときに、空気を徐々に流出させることにより、勢いよく移動するランナーの速度を緩めるものである。符号４４は、ケース３１の下部に形成された細長い開口であり、該開口から第一係止片３９と第二係止片４０が突出して開口の端から端まで移動するよ��になっている。【００１２】  図２８に示すように従来の引き込み機構に使用されていたストライク、即ち特許文献１、２におけるストライク５０は、基台５１に階段状に仮係段部５２と本係段部５３が形成されている。仮係段部５２の頂部５４と本係段部５３の頂部５５は待機位置方向（図２８中右方）に上がる傾斜が付されている。基台５１には、一対の係段部が対称位置に形成されているが、このように係段部を対称位置に形成してあるのは、引出の左右どちらにも取り付けができるばかりでなく、係段部間に第一係止片が係合されたときに、対称位置にある係段部間に挟まれて外れにくくなるからである。【００１３】  基台５１の両側にはネジ穴５６が穿設されている。この従来のストライクは、基台５１の取り付け部、即ちストライクを取り付けた引出の側板から本係段部５３までの高さが一定のものであった。【００１４】  ここで引き込み装置でのランナーの移動について説明する。ランナー３２は引っ張りバネ３３に引っ張られており、ガイド溝３５の水平部奥方（図２４、２５中左方）に位置している。この状態は、引出が閉まっている状態である。そして引っ張りバネ３３のバネ力に抗して外力でランナー３２を移動（図２５中右方へ）させると、ランナー３２の第一ガイドピン３７と第二ガイドピン３８はガイド溝３５内を移動する。すると図２５で示すように、第一ガイドピン３７はガイド溝３５の屈曲部３６の端部に位置し、第二ガイドピン３８は水平部に位置する。この状態では引っ張りバネ３３が長く伸ばされているため、ランナー３２に対して引き戻す大きな力が働いている。しかしながら第一ガイドピン３７がガイド溝３５の屈曲部３６に引っ掛かっていることから、ランナー３２にかかっている外力を外しても、ランナー３２はロックされた状態となっていて、この位置に留まる。このとき図２５の右方に位置したランナー３２は傾斜しているため、第一係止片３９はケース３１内に没しており、第二係止片４０だけがケース３１から突出している。このランナーの位置（図２５中の右方）が引出を開けた状態の待機位置である。【００１５】  ランナー３２がガイド溝３５の水平部の最奥の非待機位置（図２４、２５中左方）にある引き込み装置において、ランナー３２を待機位置に移動させるには（引出を開けるとき）、ストライクで行う。図２３に示すように引き込み装置３０を家具本体１０の側壁１４の内側に取り付けた場合、ストライク５０は引出２０の側板２４に取り付ける。ストライク５０の引出への取付位置は、引出を閉めたときに引っ張りバネで戻ったランナーの第一係止片３９がストライク５０に係合して、家具の奥方に移動させた位置、即ちランナー３２がガイド溝３５の最奥となる位置である。【００１６】  そして開いている引出（ランナーは待機位置）を閉めると、引き込み装置のランナー３２の突出した第二係止片４０にストライク５０の仮係合段部５４の左側側面が当たり、ランナー３２の傾斜を正してランナーのロックを解く。するとケース３１内に没していた第一係止片３９がケース３１から現れてストライク５０の本係合段部５３、５３間に位置するとともに、第一係止片３９がストライク５０の本係合段部５３に係合する。するとランナー３２は引っ���りバネ３３で奥方に引っ張られるため、第一係止片３９に係合したストライク５０が引っ張られ、該ストライクを取り付けた引出が閉まる方向に移動する。このときランナー３２は、ダンパー３４に取り付けられているため、ランナーで引かれる引出はダンパーでゆっくりと閉まるようになる。【００１７】  ストライクには本係合段部だけでもよいが、仮係合段部を形成しておくと、ランナーとストライクが正常な位置にあっても引出を開けたときに何らかの原因でランナーとストライクの本係合段部の係合が外れた場合に、再度、係合が容易に行うことができる。即ち、ランナーとストライクの係合が外れた場合、ランナーは引っ張りバネで非待機位置まで戻ってしまう。そのとき、一旦、引出を閉めて少し強く押し込むと、ストライク５０の仮係合段部５２の傾斜した頂部５４がランナー３２の第一係止片３９に滑って奥方に進行し、仮係段部５２と仮係合する。その状態で引出を開けると、ランナーはストライクに引かれて待機位置まで移動し、図２３に示すようにストライクが外方まで出て、ランナーとストライクの係合が完全に外れる。そして再度、引出を閉めると前述のようなランナーとストライクが正常な係合に復帰するようになる。
【発明の概要】
【発明が解決しようとする課題】
【００１８】  ところで家具は、製造時に引出の側板と本体の側壁間が設計どおりの間隔、即ち、レールや引き込み装置、ストライク等を設置するのに最適な間隔となっている場合は、図２９に示すように引き込み装置３０のランナー３２とストライク５０の係合が適正となっている。しかしながら長年月間、引出に重い物を収納したり家具本体の上に重いものを載せて置いたりすると、家具の側壁が外方に膨らんでしまうことがある。その現象を理解に便宜なように極端な図で示すと図３１のようになる。つまり家具製造時、家具の側壁１４は図３１の実線のように真直ぐであるが、長年月経過するうちに二点鎖線のように外方に膨らんで家具の側壁１４と引出の側板２４間が広がってしまう。すると図３０に示すように、家具の側壁に取り付けた引き込み装置３０のランナー３２と引出の側板に取り付けたストライク５０が離れてランナーとストライクの係合ができなくなってしまい、ランナーは常に非待機位置に戻っているという状態となって引き込み装置の機能が全く果たせなくなってしまう。【００１９】  また家具では、引出内に重い物を収納しておくと、長年月経過するうちに、引出が少し下方に下がることがある。このような場合、引き込み機構を設置した家具では、引出に取り付けたストライクが下がってしまい、ランナーから外れてランナーとの正常な係合ができなくなることがあった。
【課題を解決するための手段】
【００２０】  本発明者は、ランナーと係合するストライクの係合部が家具の側壁と引出の側板間の間隔が離れた場合、ストライクの位置が常にランナーと係合できるようになっていれば、ランナーとストライクとが外れることはなく、また引出が下がってもストライクがランナーと係合できるようになっていればストライクとランナーとは必ず係合できるようになることに着目して本発明を完成させた。【００２１】  本発明の第一発明は、引き込み装置と引き込み装置を作動させるストライクから構成されていて、引き込み装置のランナーは常時引っ張りバネで奥方に引かれた状態となっており、引出を開けるときにはストライクが引き込み装置のランナーに形成された第一係止片に係合してランナーを待機位置まで移動させ、引出を閉めるときにはストライクが第一係止片に係合して、引っ張りバネで引き戻されることによりランナーを非待機位置にする引出の引き込み機構において、ストライクの係合部はストライクを取り付ける部分に対して直交する方向に移動可能となっていることを特徴とする引出の引き込み機構である。【００２２】  本発明の第二発明は、引き込み装置と引き込み装置を作動させるストライクから構成されていて、引き込み装置のランナーは常時引っ張りバネで奥方に引かれた状態となっており、引出を開けるときにはストライクが引き込み装置のランナーに形成された第一係止片に係合してランナーを待機位置まで移動させ、引出を閉めるときにはストライクが第一係止片に係合して、引っ張りバネで引き戻されることによりランナーを非待機位置にする引出の引き込み機構において、ストライクの係合部はストライクを取り付ける部分に対して直交する方向に移動可能となっているとともに、ストライクが上下方向に移動可能となっていることを特徴とする引出の引き込み機構である。
【発明の効果】
【００２３】  本発明の第一発明によれば、家具製造後、長年月経過して家具の側壁が外方に膨らんでしまった場合、ストライクが常にランナーと係合できる位置にあるため、必ずランナーとストライクが適正に係合して引き込み装置の役割を完全に果たすことができるという従来の引き込み機構にはない優れた効果を奏するものである。【００２４】  また本発明の第二発明によれば、家具製造後、長年月経過して家具の引出が下方に下がってしまっても、ストライクが上下方向に移動するため、必ずランナーとストライクが適正に係合して引き込み装置の役割を完全に果たすことができるという従来の引き込み機構にはない優れた効果を奏するものである。
【図面の簡単な説明】
【００２５】
【図１】本発明の引出の引き込み機構に設置する第一実施例のストライクの斜視図
【図２】同正面図
【図３】同平面図
【図４】同側面図
【図５】図２のＡ−Ａ線断面図
【図６】図２のＢ−Ｂ線断面図
【図７】図２のＣ−Ｃ線断面図
【図８】第一実施例のストライクに木ネジビスを挿入した状態の正面図
【図９】図８のＤ−Ｄ線断面図で引出の側板への取り付け前の状態
【図１０】図８のＤ−Ｄ線断面図で引出の側板への取り付け後の状態
【図１１】取付金具を介して取り付ける第一実施例のストライクの正面図
【図１２】図１１のＥ−Ｅ線断面図
【図１３】本発明の引出の引き込み機構に設置する第二実施例のストライクの斜視図
【図１４】同分解斜視図
【図１５】図１３のＦ−Ｆ線断面斜視図
【図１６】図１３のＦ−Ｆ線断面図
【図１７】取付部と係合部が最大に離れた第二実施例のストライクの側面図
【図１８】取付部と係合部が最接近した第二実施例のストライクの側面図
【図１９】本発明の引出の引き込み機構に設置する第三実施例のストライクの斜視図
【図２０】図１９の平面中央断面図
【図２１】本発明の引出機構における引き込み装置と第一実施例のストライクの係合状態を説明する斜視図
【図２２】引き込み装置とストライクの取り付け状態を説明する側面図
【図２３】引き込み機構を設置した家具の透視斜視図
【図２４】引き込み機構に使用する引き込み装置の正面図
【図２５】引き込み装置の正面断面図
【図２６】引き込み機構に使用するランナーの拡大正面図
【図２７】同底面図
【図２８】従来の引き込み機構に使用されていたストライクの斜視図
【図２９】引出が閉まったときのランナーとストライクの正常な係合状態を説明する図
【図３０】家具の側壁が外方に膨らんでランナーとストライクが離れた状態を説明する図
【図３１】家具の側壁が外方に膨らんだ状態を説明する図
【発明を実施するための形態】
【００２６】  以下、本発明の実施の形態を図１〜２２に基づいて説明する。
【００２７】  本発明に使用する第一実施例のストライクは図１〜１２であり、図１〜１０が木製の引出に取り付けるのに適したものである。ストライク６０は、樹脂製であり、下部が取付部６１、上部が係合部６２となっている。
【００２８】  取付部６１には、正面の対称位置に矩形のバネ孔６３、６４が穿設されており、該バネ孔に押圧バネ６５、６６が取付部６１と一体形成されている。図５〜７に示すように、バネ孔６３にある押圧バネ６５は、バネ孔６３の上部から下方に向け、そして後方に湾曲した形状となっており、取付部６１の裏面から少し突出している。またバネ孔６４にある押圧バネ６６は、バネ孔６４の下部から上方に向け、そして後方に湾曲した形状となっており、取付部６１の裏面から少し突出している。
【００２９】  ストライク６０を引出の側板に取り付けたとき、押圧バネ６５、６６は突出した部分が引出の側板に当接し、そのバネ力によりストライク全体、即ちストライクの係合部を側板から反発して、側板に直交する方向へ押しやるようになっている。
【００３０】  一対の押圧バネ６５と６６は上下方向逆向きに形成されており、それぞれの押圧バネが引出の側板を上下位置から押すため、ストライクは均等に押されて、傾くことがない。
【００３１】  また取付部６１には、一対のバネ孔６３、６４の外側にビス孔６７、６７が穿設されている。該ビス孔は上下方向に縦長となっており、下端が半円形、上端が半四角形となっている。ビス孔６７、６７の上部には、ビス用バネ６８、６８が取付部６１と一体形成されている。これらのビス用バネは、図２に示すように、ビス孔６７、６７の上部一隅から斜め下方に出て、横方水平に屈曲している。ビス孔６７の半円形の下部とビス用バネ６８の下面間はストライクを取り付ける後述木ネジビスの保持部の直径と略同一寸法となっている。従って、ビス孔に木ネジビスを挿入してストライクを引き出しの側板に取り付けた後は、平時、木ネジビスはビス用バネ６８の下面とビス孔６７の半円形下部に接した状態となっているが、ストライクに上方から圧力がかかると、ストライクはビス用バネのバネ力に抗して下方に下がり半円形の下面から離れるようになる。その後、上方からの圧力がなくなると、ビス用バネのバネ力で元の位置、即ち、ビス用バネ６８の下面とビス孔６７の半円形下部に接した状態の位置に戻るようになる。ビス孔６７、６７には木ネジビスを挿入したときに、木ネジビスのネジ頭が没するくらいの窪み６９が形成されている。
【００３２】  ストライク６０の係合部６２には本係合段部７０と仮係合段部７１が左右対称位置に形成されている。このように本係合段部と仮係合段部を左右に形成してあるのは、ストライクを引出の左右に取り付ける場合に、どちら側にもできるからである。本係合段部と仮係合段部の形状、作用については既に説明してあるため、ここではそれらの説明を省略する。
【００３３】  係合部６２の上部には二箇所に倣い突状７２、７２が形成されている。該倣い突状は上端が丸みを帯びており、これらに接した物に対して円滑に滑らせるようになっている。
【００３４】  ここで本発明に使用する第一実施例のストライクにおける取付状態とストライクの移動を図８〜１０で説明する。
【００３５】  ストライクを引出の側板に取り付ける木ネジビス７３は、図９に示すようにネジ頭７４、木ネジ部７５となっており、ネジ頭７４はビス孔の挿入口に容易に没する大きさとなっている。木ネジ部７５には、円筒体７６が挿入されている。該円筒体は、高さが窪み６９から取付部６１の裏面までの寸法よりも距離ｄだけ長くなっている。
【００３６】  ストライクの引出への取り付けは、引き込み装置のランナーに対して所定の位置が決まったならば、ストライクを木製引出の側板にあてがい、ビス孔に錐やドリル等の穴あけ具を挿入して下孔をあける。その後、ビス孔に木ネジビスを挿入してドライバーで木ネジ部を下孔に螺入していき、木ネジ部７５を挿入した円筒体７６の端部が引出の側板２４に当接したところで木ネジ部７５の螺入を停止する。すると、ストライク６０は、押圧バネ６５、６６が側板に接して反発し、ストライク全体を側板に直交する方向（図１０中左方）へ押しやった状態となる。このときストライクの裏面と側板間に離間距離ｄが生ずる。しかしながらストライクは押圧バネにより側板から離れているだけであるため、ストライク６０に直交する方向からの圧力がかかるとｄの距離だけ側板２４方向へ移動できるようになっている。
【００３７】  ストライク裏面と側板間の離間距離ｄは、実用上０．１〜１ｍｍ程度あれば十分である。つまり製造後、長年月経過した家具の側壁の膨らみは、片側は最大でも１ｍｍ以下であるため、ストライクの係合部の移動は最大１ｍｍでよいことになる。
【００３８】  ここで上記実施例を取り付けた家具における引き込み機構の作動について説明する。
【００３９】  図２３のように家具の側板に引き込み装置を取り付けた場合、ストライクは引き出しの側板に木ネジビスで取り付ける。このとき図２１に示すように、引き込み装置３０のランナー３２が最奥、即ち非待機位置にある状態にしておいて、ストライク６０の本係合段部７０がランナー３２の第一係止片３９と係合するように合わせてストライク６０を引出の側板に取り付ける。ストライク取り付け後は、ストライクは、図１０のように、引出の側板から最大に離間（ｄ）しているため、係合部６２が第一係止片３９や第二係止片４０に接触した状態となる。しかしながら、ストライク６０は、これらの係止片と接触しても、係合部６２が引出の側板に対して、押圧バネで直交する方向に押しやられるため、係止片やストライクを傷付けたり、引出の走行を妨げたりすることなく、ランナーと確実に係合する。
【００４０】  また第一実施例におけるストライクは、縦長のビス孔にビス用バネが形成されており、ストライクに上方から力が掛かった場合、ビス用バネが上方に移動する分だけストライクは下方に移動する。従って、ストライクを引出に取り付けるときに、図２１、２２のように引き込み装置３０の下面に倣い突状７２、７２が接してビス用バネを少し上方に移動させた状態にしておく。つまり、引出を閉めたときにはストライクの倣い突状が引き込み装置の下面に接し、ストライクはビス用バネに抗して下方に移動し、引出を開けたときには引き込み装置と接しなくなる。つまりストライクは、上方からの力がかからなくなると、ビス用バネにより上方に移動するものである。そして長年月経過して、引出が下方に少し下がった場合、ストライクの倣い突状が引き込み装置の下面に接しなくなっても、十分にストライクとランナーとは正常な係合を継続する。このストライクは取付時、上下方向に対して余裕をもって取り付けることができるものである。
【００４１】  上記実施例は、引出が木製のものに適したストライクであり、金属製の引出には取り付けが困難である。そこで金属製の引出に取り付けるに適したストライクについて図１１、１２で説明する。図１１はその正面図、図１２は図１１のＥ−Ｅ線断面図である。
【００４２】  ストライク６０の取付部６１、係合部６２の構造は、前述木製の引出に取り付けるストライクと同じであるが、ストライクを引出に直接取り付けるのではなく、取付金具を介して取り付けを行うものである。
【００４３】  前述木製引出用のストライクは、ビス孔に木ネジビスを挿入し、木製引出の側板に木ネジビスの木ネジ部を螺入して取り付けが行われるが、引出が金属製の場合、木ネジビスの木ネジ部は螺入できない。そこで金属製引出にストライクを取り付ける場合は、取付金具を用いる。
【００４４】  取付金具７８は、金属製であり、横幅がストライク６０の横幅と略同一の断面Ｌ字形の板状のものである。取付金具７８の縦部がストライク取付面７９、底部が引出取付面８０となっている。ストライク取付面７９には、ストライク６０のビス孔６７、６７と一致するところに立ち上がり部８１が形成されており、該立ち上がり部の内側に牝ネジが螺設されている。立ち上がり部８１の高さは前述木製引出用のストライクの離間距離ｄと同一である。また引出取付面８０には複数箇所（二箇所以上）に引出取付孔８３・・・が穿設されている。
【００４５】  ストライクを金属製引出の側板に取り付ける直ネジビス８４は、図１２に示すようにネジ頭８５、直ネジ部８６となっている。ネジ頭８５はビス孔６７の挿入口に没する大きさとなっている。直ネジ部８６には円筒体８７が挿入されている。該円筒体は、高さが窪み８８から取付部６１の裏面までの寸法と同一となっている。従って、直ネジビス８４をビス孔６７に挿入して、直ネジ部８６を円筒体８７の牝ネジに螺入していくと、円筒体８７の端部が立ち上がり部８１に当接して螺入が止まる。すると押圧バネ６５、６６がストライク取付面７９に接して、ストライク６０を直交する方向（図１２中左方）に押しやり、ストライク全体、即ち係合部６２がストライク取付面７９から距離ｄだけ離間する。
【００４６】  ここで上記ストライクを金属製引出に取り付ける状態について説明する。先ずストライク６０を取付金具７８のストライク取付面７９に直ネジビス８４で取り付ける。その後、家具の側壁に取り付けた引き込み装置に対して適正となるところに該取付金具を置き、引出取付孔８３と一致した引出の底板にドリルで孔を開け、引出取付孔と底板の孔にネジを挿通して固定する。
【００４７】  ストライクの金属製引出への取り付けが困難であっても、取付金具を介して行えば、ストライクが簡単に、しかも堅固に取り付けられるものである。
【００４８】  次に本発明の引出の取り付け機構に使用する第二実施例のストライクについて説明する。図１３は第二実施例に使用するストライクの斜視図、図１４は同分解斜視図、図１５は図１３のＦ−Ｆ線断面斜視図、図１６は図１３のＦ−Ｆ線断面図、図１７は取付部と係合部が最大に離れた第二実施例のストライクの側面図、図１８は取付部と係合部が最接近した第二実施例のストライクの側面図である。
【００４９】  第二実施例に使用するストライク９０は、取付部９１と係合部９２の二つの部材から構成されている。
【００５０】ストライク９０の係合部９２は、断面がコ字形で、一端が上方に立ち上がった形成部９３となっている。係合部９２の前方に突き出た正面中央には円錐形のリベット孔９４が穿設されており、その両側には縦長のネジ孔９５、９５が穿設されている。形成部９３には本係合段部７０、７０と仮係合段部７１、７１が形成されている。係合部９２裏面の凹んだところの上下部には、内方に突出したフランジ９６、９６が形成されている。
【００５１】  ストライク９０の取付部９１は、断面凸状となっており、前方の縦幅の広い部分が摺動部９７、後方の縦幅の狭い部分が固定部９８となっている。摺動部９７の縦幅は係合部９２のコ字形の内側縦寸法よりも僅かに小さく、また摺動部９７の奥行寸法は図１６に示すように、係合部９２のコ字形の内側奥行寸法よりもｄだけ小さくなっている。従って、係合部９２は、取付部９１に対して、直交する方向にｄの距離だけ移動でき、後述リベット挿入前は横方には無制限に移動できるようになっている。
【００５２】  取付部９１は前述係合部９２のリベット孔９４と一致したところに後述バネ用溝から突出したリベット止孔９９が穿設されており、係合部９２のネジ孔９５、９５と一致したところに該ネジ孔と同一形状のネジ挿通孔１００、１００が穿設されている。またリベット止孔９９の両側でネジ挿通孔１００、１００の内側にはバネ用溝１０１、１０１が刻設されており、該バネ用溝からは押圧バネ１０２、１０２が上方に立ち上がった状態で取付部９１と一体形成されている。この押圧バネは、図１５、１６に示すように断面Ｙ字形を呈しており、上端が横方に屈曲していてバネ用溝１０１から上方に突出している。
【００５３】  係合部９２と取付部９１の固定はリベットで行う。リベット１０３は、図１４に示すように、円柱部１０４の一端に逆円錐形の頭部１０５が形成されている。円柱部１０４は前述リベット孔９４の孔底部の直径よりも僅かに小さい直径となっており、頭部１０５は円錐形のリベット孔９４よりも僅かに小さい形状となっている。
【００５４】  係合部９２と取付部９１を組み立てる場合、係合部９２のコ字形部分に取付部９１の摺動部９７を挿入し、係合部９２のリベット孔９４と取付部９１のリベット止孔９９が一致したところで挿入を止める。このとき係合部９２は、押圧バネ１０２で裏面を押されているため、図１６に示すように、取付部９１とはｄの距離だけ離間している。その後、リベット孔９４からリベット止孔９９にリベット１０３を挿通し、取付部９１の裏面でリベットの先端を押しつぶす。すると係合部９２と取付部９１は、横方には移動しなくなり、直交する方向からの力（図１８の矢印Ｘ）がかかるとｄだけ移動するようになる。ストライクを木製引出に取り付ける場合は、ネジ孔９５とネジ挿通孔１００に木ネジを挿入し、該木ネジをドライバーで螺入して固定する。
【００５５】  本発明の第二実施例に使用するストライクを引出の側板に取り付けた後、側板に直交する方向に力がかからないと、図１７に示すように、係合部９２は側板２４からｄだけ最大に離間している。しかしながら引出を閉めるときに、ストライクの係合部９２に力（図１８の矢印Ｘ）がかかると、側板２４方向に移動して最接近するようになっている。
【００５６】  本発明の第二実施例に使用するストライクは、側板に直交する方向への移動はするが、上下動はしない。しかしながら取付位置を上下方向に調整する場合は、ネジ挿通孔１００から挿入して木製引出の側板に螺入した木ネジを緩め、縦長のネジ挿通孔の縦方向の範囲内で移動させて調整する。
【００５７】  さらに本発明の引出の引き込み機構に使用する第三実施例のストライクを図１９、２０で説明する。図１９は、その分解斜視図、図２０は同平面図である。
【００５８】  第三実施例に使用するストライク１１０は、前述第二実施例と同様、取付部１１１と係合部１１２の二つの部材から構成されている。係合部１１２は、第二実施例の係合部９２と同一形状であるが、押圧バネとバネ用溝が相違している。そこで第三実施例に使用するストライクについては、押圧バネとバネ用溝について説明し、その他の部分は第二実施例と同一符号を付し、その説明は省略する。
【００５９】  第三実施例に使用するストライクのバネ用溝１１３は、図１９に示すように、リベット止孔９９を中心にして横長の矩形形状に刻設されている。そして押圧バネ１１４は、縦方向の幅がバネ用溝１１３に容易に入れることができる長さとなった金属製の板バネであり、中央には突出したリベット止孔９９を挿通できる孔１１５が穿設されている。押圧バネ１１４は、孔１１５周囲が底部１１６となっており、その両側は斜め上方に立ち上がっていて、バネ用溝１１３を出たところが水平方向に屈曲した押圧面１１７、１１７となっている。
【００６０】  第三実施例に使用するストライクは、側板方向への力がかかっていないときは、図２０に示すように、ｄだけ離間距離を保っている。第三実施例におけるストライクの作用は第二実施例と同一であるため、その説明は省略する。
【００６１】  本発明は、引出を有するものであれば如何なるもの、例えばキャビネット、厨房家具、机、整理箪笥等に適用できるものである。
なお実施例では、引き込み装置を家具の側壁に取り付け、ストライクを引出の側板に取り付けたもので示したが、逆に引き込み装置を引出の側板に、ストライクを家具の側壁に取り付けることもできる。
また実施例では、ストライクを本係合段部と仮係合段部を有するもので示したが、引き込み装置のランナーを係合するものであれば如何なる形状のストライクにも適応できることは言うまでもない。
【符号の説明】
【００６２】６０  ストライク
６１、９１、１１１  取付部
６２、９２、１１２  係合部
６３、６４  バネ孔
６５、６６、１１４  押圧バネ
６７  ビス孔
６８  ビス用バネ
６９  窪み
７０  本係合段部
７１  仮係合段部
７２  倣い突状
７３  木ネジビス
８４  直ネジビス
【図１】
2011024981.tif 000003
【図２】
2011024981.tif 000004
【図３】
2011024981.tif 000005
【図４】
2011024981.tif 000006
【図５】
2011024981.tif 000007
【図６】
2011024981.tif 000008
【図７】
2011024981.tif 000009
【図８】
2011024981.tif 000010
【図９】
2011024981.tif 000011
【図１０】
2011024981.tif 000012
【図１１】
2011024981.tif 000013
【図１２】
2011024981.tif 000014
【図１３】
2011024981.tif 000015
【図１４】
2011024981.tif 000016
【図１５】
2011024981.tif 000017
【図１６】
2011024981.tif 000018
【図１７】
2011024981.tif 000019
【図１８】
2011024981.tif 000020
【図１９】
2011024981.tif 000021
【図２０】
2011024981.tif 000022
【図２１】
2011024981.tif 000023
【図２２】
2011024981.tif 000024
【図２３】
2011024981.tif 000025
【図２４】
2011024981.tif 000026
【図２５】
2011024981.tif 000027
【図２６】
2011024981.tif 000028
【図２７】
2011024981.tif 000029
【図２８】
2011024981.tif 000030
【図２９】
2011024981.tif 000031
【図３０】
2011024981.tif 000032
【図３１】
2011024981.tif 000033